(57)【要約】【課題】  携帯端末で取り扱う種々の情報を、容易に紙面に再生することが可能な画像処理装置を提供する。【解決手段】  携帯端末の表示画面を他の表示装置に映す目的で携帯端末が送信する画像情報を受け取る表示画面取得手段２と、表示画面取得手段が受け取った画像情報から、携帯端末の表示画面をデジタルの静止画像として再生する表示画面再生手段３と、デジタルの静止画像に変換された任意の時間における携帯端末の表示画面を紙面に印刷する印刷手段８とを備えた。【選択図】  図１
2005267081.tif 000002
【特許請求の範囲】
【請求項１】
携帯端末が送信する表示画面の画像情報を受け取る表示画面取得手段と、表示画面取得手段が受け取った画像情報から、携帯端末の表示画面をデジタルの静止画像として再生する表示画面再生手段と、デジタルの静止画像に変換された任意の時間における携帯端末の表示画面を紙面に印刷する印刷手段とを備えたことを特徴とする画像処理装置。
【請求項２】
請求項１記載の画像処理装置において、印刷手段による印刷に先立ち、携帯端末の表示解像度に等しい印刷サイズを等倍の印刷サイズとみなして、等倍印刷もしくは拡縮印刷する処理を行う画像処理手段を備えたことを特徴とする画像処理装置。
【請求項３】
請求項１記載の画像処理装置において、携帯端末の名称と表示解像度及び表示画素数を記憶した記憶手段を備え、携帯端末の名称から表示解像度と表示画素数のいずれかもしくは両方を検索することを特徴とする画像処理装置。
【発明の詳細な説明】
【技術分野】
【０００１】
本発明は、ラスター走査によって画像情報を読み取り、その画像情報を複製物として紙面上に再生することができる画像処理装置に関するものである。
【背景技術】
【０００２】
近年、ＰＤＡ（Personal Digital Assistants）と呼ばれる携帯端末を持ち歩く人が増えてきた。携帯端末の機能も多様化し、予定表やアドレス帳、メモ帳といった基本的なアプリケーションから、電子メールやネットサーフィン、表計算、プレゼンテーション、音楽再生などができるものまで登場している。
これだけ多種の情報を携帯端末で取り扱うようになると、画面に表示されている内容を印刷したい状況も発生する。特に、携帯端末を購入する人達は、これらのアプリケーションを屋外で利用するため、表示画面を印刷したい状況は、家庭やオフィスより屋外で発生する。例えば、道に迷った時に、インターネットで検索した地図を印刷して持ち歩きたい場合や、外出中に受け取った電子メールの内容を印刷して他人に渡したい場合などが考えられる。近くのコンビニエンスストアや書店にある複合機と携帯端末を接続させて、表示画面を複合機により印刷することができれば、これらの要望は解決される。
一般に、情報機器をプリンタに接続して印刷を行うためには、専用のプリンタドライバが必要になる。偶然立ち寄った店に設置された複合機から印刷を行おうとする場合、専用のプリンタドライバもその場で探さなくてはならない。これでは、印刷するまでの準備に時間と手間がかかってしまう。特に携帯端末の場合、メーカー独自の組込ソフトで動いている物が多いので、専用のプリンタドライバが存在しないことも考えられる。
そこで、プリンタドライバに頼らず、携帯端末に予め装備されている機能を使って、表示画面を複合機から印刷する手段が必要となる。最近の携帯端末には、表示画面を外部のＣＲＴやプロジェクタに映す機能（以降、外部ディスプレイ出力機能）が搭載されるようになった。これは、携帯端末とプロジェクタを使ったプレゼンテーションを開き、携帯端末でＤＶＤを再生して大画面テレビで鑑賞するといった用途が広がってきたことによる。
もともと携帯端末の表示画面は、個人が約２０ｃｍ〜３０ｃｍ程度離れた位置から眺めることを想定して作られているため、大勢の人達が集まって眺めるのには小さすぎる。そのため、携帯端末の高機能化が進むにつれ、外部ディスプレイ出力機能は標準搭載されるようになると予想される。
携帯端末に表示された内容を紙面に印刷する技術としては、例えば、特許文献１が知られている。
【特許文献１】特開２００１−０５７５８６公報
【発明の開示】
【発明が解決しようとする課題】
【０００３】
前記特許文献１において提案されている、携帯端末に専用のプリンタを接続する技術では、一部のユーザーにしか利用できないようになっている。具体的にいえば、携帯端末に加えてプリンタも購入し、常に両方を持ち歩いている人にしか利用することができない。また携帯プリンタは、小型軽量が必須なので、印刷サイズや印刷速度、画質といった機能面で制約を受けることが多い。そのため大画面化、高精細化、多色化した携帯端末の表示画面を忠実に再現できる機能が搭載できないことも考えられる。
より多くの携帯端末ユーザーに、外出中でも画面表示された内容を満足の行く画質で印刷してもらうためには、あちらこちらに点在する高機能の画像処理装置（例えば、コンビニエンスストアに設置された複合機）に、携帯端末を接続して印刷することが好ましい。
そこで本発明は、携帯端末で取り扱う種々の情報を、容易に紙面に再生することが可能な画像処理装置を提供することを目的とする。
【課題を解決するための手段】
【０００４】
上記目的を達成するために、請求項１記載の発明は、携帯端末が送信する表示画面の画像情報を受け取る表示画面取得手段と、表示画面取得手段が受け取った画像情報から、携帯端末の表示画面をデジタルの静止画像として再生する表示画面再生手段と、デジタルの静止画像に変換された任意の時間における携帯端末の表示画面を紙面に印刷する印刷手段とを備えた画像処理装置を最も主要な特徴とする。
請求項２記載の発明は、請求項１記載の画像処理装置において、印刷手段による印刷に先立ち、携帯端末の表示解像度に等しい印刷サイズを等倍の印刷サイズとみなして、等倍印刷もしくは拡縮印刷する処理を行う画像処理手段を備えた画像処理装置を主要な特徴とする。
請求項３記載の発明は、請求項１記載の画像処理装置において、携帯端末の名称と表示解像度及び表示画素数を記憶した記憶手段を備え、携帯端末の名称から表示解像度と表示画素数のいずれかもしくは両方を検索する画像処理装置を主要な特徴とする。
【発明の効果】
【０００５】
本発明によれば、携帯端末の表示画面に当たる画像情報を支障なく印刷手段に取り込むことができ、携帯端末からの携帯端末で取り扱う種々の情報を、容易に紙面に再生することが可能となる。
また、利用者が容易に印刷イメージを連想することが可能となる。
また、携帯端末の表示画面を、より忠実に紙面に再生することが可能となる。
【発明を実施するための最良の形態】
【０００６】
以下、図面を参照して、本発明の実施形態を詳細に説明する。
まず、本発明の画像処理装置の構成例について図１を使って説明する。
ＳＢＵ（センサーボードユニット）１は、原稿を光学的に読み取るためのユニットである。光源から照射した光は、原稿台に置かれた原稿に反射し、その反射光は受光素子へ集められる。受光素子は、集められた光の強度をアナログの電気信号に変換するためのデバイスで、本実施形態ではＣＣＤ（電化結合素子）を使用する。ＣＣＤから出力されるアナログの電気信号は、量子化された後に、デジタルの静止画像としてＳＢＵ１からＣＤＩＣ（通信コントローラ）５へ出力される。
ＳＣＵ（スクリーンキャプチャーユニット）２は、携帯端末の表示画面を他の表示装置に映す目的で備えられるユニットであり、ここでは携帯端末が発信する画像情報を取得するためのユニットであり、表示画面取得手段である。携帯端末より発信される信号の種類は携帯端末によって異なるが、コンポーネントビデオ信号や、コンポジットビデオ信号、ＶＧＡ（Video Graphics Array）信号、ＤＶＩ（Digital Visual Interface）信号などが考えられる。そして、ＳＣＵ２には複数の受信用コネクタ（以降、受信コネクタ）が設置され、何種類かの信号が取得できるように設計されている。そして、表示画面を出力するために、携帯端末に設けられたコネクタ（以降、出力コネクタ）と、受信コネクタとを有線または無線を使って接続することで、画像情報の取得が行われる。
ＳＤＵ（スクリーンデコードユニット）３は、ＳＣＵ２が取得した画像情報の中から、携帯端末の表示画面をデジタルの静止画像として再生するためのユニットであり、表示画面再生手段である。もし、画像情報がアナログ信号であった場合には、ここで量子化も行う。また再生された静止画像はＣＤＩＣへ送られる。
ＣＤＩＣ５に接続されるＩＰＰ（画像処理ユニット）４は、デジタルの静止画像に対して画像処理を行うためのユニットであり、画像処理手段である。ユーザーの嗜好や、自機の特徴に合わせて、画像の周波数特性や階調特性などを最適化する。
ＩＰＰ４に接続されるＶＣＵ（ビデオ制御ユニット）８は、紙面に画像を印刷するためのユニットであり、印刷手段である。デジタルの静止画像から、紙面に印刷すべきドットの位置と大きさと色を判断し、それらのドットを印刷していくことで画像を再生する。
ＣＤＩＣ（通信コントローラ）５は、各ユニット間で行われるデジタルの静止画像の送受信を円滑に行うためのユニットである。ＳＢＵ１、ＳＣＵ２、ＳＤＵ３、ＩＰＰ４がデジタルの静止画像データを送受信する際には、必ずＣＤＩＣ５を中継する。
【０００７】
プロセスコントローラ１０は、シリアルバスを介してＳＢＵ１、ＳＣＵ２、ＣＤＩＣ５、ＶＣＵ８に接続され、ＳＢＵ１、ＳＣＵ２、ＳＤＵ３、ＩＰＰ４、ＣＤＩＣ５、ＶＣＵ８の動作を制御する。それぞれに必要な設定を行い、あるいは起動、終了、処理経過などを監視する。
シリアルバスに接続されているＲＡＭ１２−２及びＲＯＭ１３−２には、ＳＢＵ１、ＳＣＵ２、ＳＤＵ３、ＩＰＰ４、ＣＤＩＣ５、ＶＣＵ８、プロセスコントローラ１０が処理を行う際に必要となる情報が蓄積される。例えば、ＳＢＵ１で読み取る画像の大きさやＣＣＤの光学特性、ＳＣＵ２で受信する画像情報の形式、ＩＰＰ４で実行する画像処理のパラメータなどが蓄積されている。ＳＢＵ１、ＳＣＵ２、ＳＤＵ３、ＩＰＰ４、ＣＤＩＣ５、ＶＣＵ８、プロセスコントローラ１０の中にプロセッサが搭載されている場合には、その動作を記述したプログラムもここに蓄積される。
ＣＤＩＣ５とパラレルバスを介してつながるＩＭＡＣ（メモリコントローラ）６は、デジタルの静止画像を圧縮または伸張し、ＭＥＭ７とのアクセスを行う。
ＭＥＭ７は、デジタルの静止画像を保存するためのユニットで、ＳＢＵ１で読み取った画像と、ＳＤＵ３で再生した画像は、一旦ここに蓄積される。
液晶タッチパネル９は、ユーザーが本画像処理装置を使用する際に必要となる情報を表示し、またユーザーが表示画面に触れることで、種々の入力作業を行う。
システムコントローラ１１は、ＩＭＡＣ６やＭＥＭ７、液晶タッチパネル９の動作を制御する。それぞれに必要な設定を行い、あるいは起動、終了、処理の経過を監視する。
ローカルバスによってＩＭＡＣ６と接続されているＲＡＭ１２−１及びＲＯＭ１３−１（記憶手段）には、システムコントローラ１１やＩＭＡＣ６、液晶タッチパネル９、ＭＥＭ７が処理を行う際に必要となる情報が保存されている。例えば液晶タッチパネル９に文字や図柄を表示するための文字情報やビットマップ情報、またＭＥＭ７に蓄積可能なデジタルの静止画像の総量や残量、またユーザーが液晶タッチパネル９の操作部から入力した情報、種々の携帯端末の表示画素数と表示解像度などが保存されている。
ＩＭＡＣ６やＭＥＭ７、液晶タッチパネル９、またシステムコントローラ１１の中にプロセッサが搭載されている場合には、その動作を記述したプログラムもここに蓄積される。
【０００８】
次に、本発明の画像処理装置の基本動作であるScan to Memory動作、Memory to Print動作、Capture動作、Get Image Size動作、Get Image Resolution動作のそれぞれについて動作例を説明する。
Scan to Memory動作とは、ＳＢＵ１で原稿を読み取り、そのデジタル静止画像をＭＥＭ７へ蓄積する動作のことである。ＳＢＵ１は原稿台に置かれた文書を読み取り、そのデジタル静止画像をＣＤＩＣ５へ転送する。ＣＤＩＣ５はＳＢＵ１から転送されたデジタル静止画像をＩＰＰ４へ転送する。
ＩＰＰ４はＳＢＵ１の光学特性を補償するための画像処理を行い、画像処理されたデジタル静止画像はＣＤＩＣ５へ転送される。ＣＤＩＣ５はＩＰＰ４から転送されたデジタル静止画像を、パラレルバスを経由してＩＭＡＣ６へ転送する。ＩＭＡＣ６はデジタル静止画像をＭＥＭ７に蓄積可能な保存形式へ変換してＭＥＭ７へ保存する。
Memory to Print動作とは、ＭＥＭ７に蓄積されたデジタル静止画像を紙面に印刷する動作のことである。ＩＭＡＣ６は紙面に出力する画像の元となるデジタルデータをＭＥＭ７から読み出して、保存する前の画像形式へ戻す。それからパラレルバスを経由してＣＤＩＣ５へ転送する。ＣＤＩＣ５はＩＭＡＣ６から転送されたデジタル静止画像をＩＰＰ４へ転送する。
ＩＰＰ４はユーザーが設定した印刷条件やＶＣＵ８の印刷特性を補償するための画像処理を行い、画像処理されたデジタルの静止画像はＶＣＵ８へ転送される。後述する「携帯画面印刷アプリケーション」にて述べるデジタル静止画像に対する処理もここで行われる。そして、ＶＣＵ８はＩＰＰ４から転送されたデジタル静止画像を紙面上に印刷する。
【０００９】
Capture動作とは、携帯端末から画像情報を取得して、携帯端末の表示画面をデジタルの静止画像へ変換し、その静止画像データをＭＥＭ７へ蓄積する動作のことである。まずＳＣＵ２は携帯端末から画像情報が正しく送られているかどうか確認する。正しく送られている場合は次の工程に進み、正しく送られていない場合は、システムコントローラ１１へエラーメッセージを送信する。
次にＳＣＵ２は画像情報の中から主走査方向と副走査方向の表示画素数を調べ、結果をシステムコントローラ１１に送る。もしも、画像情報の中に表示画素数に関する情報が含まれていない時は、後述するGet Image Size動作にて検索する。
次にシステムコントローラ１１はＭＥＭ７の残容量を調べ、静止画像を１枚保存する空きがあるかどうかを調べる。空きがある場合には次の工程に進み、空きがない場合にはシステムコントローラ１１へエラーメッセージを送信する。
次にＳＤＵ３は画像情報の中から１つ１つの画素について、色情報や輝度情報などを抽出する。この時、画像情報がアナログ信号であった場合は量子化も合わせて行う。なお抽出作業は、主走査と副走査方向ともに先頭に位置する画素から始め、主走査と副走査方向ともに最後端に位置する画素で終わるようなラスター走査と同じ順番で行われる。
次にＳＤＵ３は抽出したデジタル静止画像を、パラレルバスを経由してＣＤＩＣ５へ転送する。ＣＤＩＣ５はＳＤＵ３から転送されたデジタル静止画像をＩＰＰ４へ転送する。ＩＰＰ４では、ＳＤＵ３から転送されたデジタルの静止画像のデータ形式を、ＳＢＵ１からＩＰＰ４へ転送されるデジタル静止画像のデータ形式と同じ形式へ変換する。
データ形式の変換が済んだデジタル静止画像は、ＩＰＰ４からＣＤＩＣ５とパラレルバスを経由してＩＭＡＣ６へ転送される。ＩＭＡＣ６はデジタル静止画像をＭＥＭ７に蓄積可能な保存形式へ変換してＭＥＭ７へ保存する。
【００１０】
Get Image Size動作とは、携帯端末の名称から、その端末に付属する表示画面の表示画素数を検索する動作のことである。ＲＯＭ１３−１には種々の携帯端末の表示画素数と表示解像度が記憶されているので、システムコントローラ１１はＲＯＭ１３−１の中から、ユーザーが指定した携帯端末を見つけ、その表示画素数を取得する。検索している携帯端末の表示画素数がＲＯＭ１３−１に記憶されていなかった時は、決められた固定値を表示画素数として取得する。
Get Image Resolution動作とは、携帯端末の名称から、その端末に付属する表示画面の表示解像度取得動作のことである。ＲＯＭ１３−１には種々の携帯端末の表示画素数と表示解像度が記憶されているので、システムコントローラ１１はＲＯＭ１３−１の中から、ユーザーが指定した携帯端末を見つけ、その表示解像度を取得する。検索している携帯端末の表示解像度がＲＯＭ１３−１に記憶されていなかった時は、決められた固定値を表示画素数として取得する。
これらの基本動作は１つだけを実行しても、複数の基本動作を組み合わせて実行しても良い。後者の場合、ユーザーが操作部から種々の設定を行うタイミングは、必ずしも各基本動作の間である必要は無い。任意のタイミングにおいて、まとめて設定を済ませても構わない。これは、設定内容はＲＡＭ１２−１かＲＡＭ１２−２のいずれかに保存されており、システムコントローラ１１とプロセスコントローラ１０は随時、設定内容を読み出すことができることによる。
【００１１】
次に、本発明の画像処理装置で動作する「コピーアプリケーション」について説明する。コピーアプリケーションとは、紙文書の複製を別の紙面へ印刷する動作のことである。ユーザーは、ＳＢＵ１内に設置された原稿台に元文書を置き、例えば元文書の大きさや、印刷用紙の種類、印刷色数、印刷枚数、印刷濃度、拡縮率、画調などの動作条件を操作部にて設定する（図２参照）。
確定ボタンが押されると、ユーザーが設定した動作条件は、プロセスコントローラ１０とシステムコントローラ１１へ転送される。プロセスコントローラ１０は転送された動作条件をＲＡＭ１２−２へ保存し、また動作条件に従った動作をＳＢＵ１とＣＤＩＣ５とＩＰＰ４とＶＣＵ８へ指示する。システムコントローラ１１は、転送された動作条件をＲＡＭ１２−１へ保存し、また動作条件に従った動作を、ＩＭＡＣ６とＭＥＭ７へ指示する。
各ユニットへの指示が完了すると、Scan to Memory動作を行い、原稿台に置かれた文書をデジタルの静止画像としてＭＥＭ７へ蓄積する。そして、Memory to Print動作を行い、ＭＥＭ７に蓄積されたデジタルの静止画像はＶＣＵ８によって紙面に再生される。
なお、Scan to Memory動作は元文書の用紙枚数分行われ、Memory to Print動作は、印刷する用紙枚数分行われる。例えば、元文書が２枚で、それらを１０部だけ印刷する時は、Scan to Memory動作を２回、Memory to Print動作を２０回行う。
また、それぞれの動作中、ＳＢＵ１とＩＰＰ４とＣＤＩＣ５とＶＣＵ８の状態は、逐次プロセスコントローラ１０へ通知され、またＩＭＡＣ６とＭＥＭ７の状態は、逐次プロセスコントローラ１０へ通知されている。そして、Scan to Memory動作及びMemory to Print動作が終了すると、プロセスコントローラ１０は操作部にその旨を表示し、コピーアプリケーションを終了する。
【００１２】
次に、本発明の画像処理装置で動作する「携帯画面印刷アプリケーション」について説明する。ユーザーは、携帯端末に付属する出力コネクタと、ＳＣＵ２に設けられた受信コネクタとを有線または無線で接続し、例えば携帯端末の名称や、印刷用紙の種類、印刷色数、印刷枚数、印刷濃度、拡縮率、画調といった動作条件を操作部（図３参照）から設定する。
確定ボタンが押されると、ユーザーが設定した動作条件はプロセスコントローラ１０とシステムコントローラ１１へ転送される。プロセスコントローラ１０は転送された動作条件をＲＡＭ１２−２へ保存し、また動作条件に従った動作をＳＣＵ２とＳＤＵ３とＣＤＩＣ５とＩＰＰ４とＶＣＵ８へ指示する。システムコントローラ１１は、転送された読み取り条件をＲＡＭ１２−１へ保存し、また動作条件に従った動作をＩＭＡＣ６とＭＥＭ７へ指示する。
各ユニットへの指示が完了すると、Capture動作を行い、携帯端末の表示画面を、デジタルの静止画像としてＭＥＭ７へ蓄積する。次に、プロセスコントローラ１０は、Get Image Resolution動作によって、携帯端末の表示解像度を検索する。
そして、携帯端末の表示解像度と、自機の印刷解像度を比較して、デジタルの静止画像をどの程度の割合で拡縮すれば、携帯端末の表示画面と同じサイズで印刷ができるのか見積もる（以降、見積もった割合を基本係数と呼ぶ）。例えば、携帯端末の表示解像度が１００ｄｐｉで、自機の印刷解像度が１０００ｄｐｉであった場合、デジタルの静止画像を主副走査ともに１０倍だけ拡大すれば、携帯端末の表示画面と同じ大きさの画像を紙面に再生することができる。
【００１３】
ユーザーが等倍印刷を指示した場合、プロセスコントローラ１０はこの基本係数をＩＰＰ４へ通知する。ユーザーが拡縮印刷を指示した場合は、基本係数に対して、ユーザーが指定した拡縮率を掛けた値（以降、実行係数と呼ぶ）をＩＰＰ４へ通知する。
そして、Memory to Print動作を行い紙面に画像を再生するが、ＩＰＰ４でデジタル静止画像が画像処理される時、ＩＰＰ４はプロセスコントローラ１０から通知された基本係数または実行係数の割合で拡縮処理を行う。それぞれの動作中、ＳＣＵ２、ＳＤＵ３、ＣＤＩＣ５、ＩＰＰ４の状態は、逐次プロセスコントローラ１０へ通知され、またＩＭＡＣ６とＭＥＭ７の状態は、逐次プロセスコントローラ１０へ通知される。
Capture動作、Memory to Print動作、Get Image Size動作、及びGet Image Resolution動作が終了すると、プロセスコントローラ１０は操作部にその旨を表示し、携帯画面印刷アプリケーションを終了する。また、プロセスコントローラ１０が各工程でエラーメッセージを受信した時は、その旨を操作部へ表示して携帯画面印刷アプリケーションを終了する。
【００１４】
次に、携帯画面印刷アプリケーションの実施形態を示す。１つ目の実施形態として、外出中に道に迷い、携帯端末を使って地図を検索している場面を想定する。現在地と目的地が離れていた場合、一枚の地図だけでは不十分である。少なくとも広域地図と、要所を拡大した何枚かの詳細地図とを見比べながら目的地へ向かうのが良い。
その場合、携帯端末の画面上に、それぞれの地図を切替えて表示したのでは一覧性に欠けて見づらい。このように、複数の画像を並べて見たい時は、紙に印刷して、それらを広げるのが最も一覧性に優れる。そのような場合、本発明の画像処理装置が、近隣の書店もしくはコンビニエンスストア等に設置されていれば、携帯端末に地図情報を表示し、それを紙面に印刷することができる。
２つ目の実施形態として、携帯端末を使ったプレゼンテーションの場面を想定する。携帯端末には表示画面を出力する端子が２つ付属し、端子の１つはプロジェクタに、残りの端子は本発明の画像処理装置に、それぞれ接続されている。
近年、業務のペーパーレス化を促進させるため、携帯端末に保存したプレゼンテーション資料を電子データのまま、プロジェクタから投影する発表者が増えてきた。しかしながら、参加者の中にはプロジェクタで表示している内容の一部を、紙文書として持ち帰りたい人や、手書きのメモなどを紙文書に書き足したい人がいるはずである。また発表者の中にも、参加者と議論を交わすうちに、プロジェクタで表示している内容を紙文書として渡したいと考えるはずである。
そのような時に、本発明の画像処理装置を利用すれば、プロジェクタに投影されている資料を、その場で紙文書として印刷することができる。
【００１５】
次に、「携帯画面印刷アプリケーション」を実行するに好ましい画像処理装置について説明する。本発明の画像処理によって提供される「携帯画面印刷アプリケーション」は、Scan to Memory動作を必要としない。従って、文書を読み取るための手段であるＳＢＵも必要ない。しかしながら、本アプリケーションは、複写機のように、画像情報を自ら読み取って、その複製を紙面に印刷する画像処理装置の上で実行させることが好ましい。
一般的に、Ａ３用紙と同じサイズの画像情報を６００ｄｐｉの解像度にてデジタル化した場合、非圧縮のカラー画像であれば数１００Ｍバイトの大きさとなる。そのため複写機のような画像処理装置では、基本性能として数１００Ｍバイト〜数ギガバイト程度のデジタル化された画像情報をリアルタイムに蓄積し加工できるような設計がなされている。
従って、画像情報の入力源を、自機に装備された読み取り手段とするか、本発明によって新しく追加した表示画面取得手段とするかを切り替えるような、わずかな機能追加によって、携帯端末の画面を紙面に印刷する。
一方、画像情報を読み取る手段を持たず、主にパソコンから送られてくる文字や画像情報を紙面へ印刷するだけの画像処理装置の場合、大容量のデジタルデータを蓄積し加工する処理をパソコンに任せている場合が多い。そのため、画像処理装置自体は、大容量のデジタルデータを蓄積し加工する手段を持っていないものが多い。
先述したように、携帯端末の表示画面は、大型化、高精細化、カラー化が進んでいるため、１枚の画像をCapture動作しただけでも、非常に大きなデジタルデータを取り扱わなくてはならない。そのため、このような画像処理装置で「携帯印刷アプリケーション」を実行させても、十分なパフォーマンス速度が得られない可能性がある。
【図面の簡単な説明】
【００１６】
【図１】本発明の実施形態に係る画像処理装置の機能ブロック図である。
【図２】操作部の表示例を示す図である。
【図３】操作部の他の表示例を示す図である。
【符号の説明】
【００１７】
２  ＳＣＵ（表示画面取得手段）、３  ＳＤＵ（表示画面再生手段）、８  ＶＣＵ（印刷手段）
【図１】
2005267081.tif 000003
【図２】
2005267081.tif 000004
【図３】
2005267081.tif 000005